(57)【特許請求の範囲】
【請求項１】
第１コネクタハウジングと、
前記第１コネクタハウジングに嵌合及び離脱する第２コネクタハウジングと、
前記第２コネクタハウジングに回転可能に設けられ、且つ、第１操作位置とコネクタ嵌合操作位置との間の回転によって前記第２コネクタハウジングと前記第１コネクタハウジング間に嵌合力及び離脱力を作用させ、コネクタ嵌合操作位置から第２操作位置まで回転するレバーと、
前記第１コネクタハウジングと前記第２コネクタハウジングにそれぞれメイン端子が設けられ、前記レバーの第１操作位置ではオフ状態で、且つ、前記レバーのコネクタ嵌合操作位置及び第２操作位置ではオン状態とされるメイン回路スイッチと、
前記第１コネクタハウジングと前記レバーにそれぞれ信号端子が設けられ、前記レバーの第１操作位置及びコネクタ嵌合操作位置ではオフ状態で、且つ、前記レバーの第２操作位置ではオン状態とされる信号回路スイッチと、
前記レバーを第２操作位置でロックする第１ロック部と、
前記レバーをコネクタ嵌合操作位置でロックする第２ロック部と、
前記レバーに設けられ、前記レバーの操作方向とは異なる操作方向の操作力によって前記第２ロック部のロック状態を解除できるロック解除操作部とを備えたことを特徴とする電源回路遮断装置。
【請求項２】
請求項１記載の電源回路遮断装置であって、
前記レバーの操作方向と前記ロック解除操作部の操作方向は、互いにほぼ直交する方向であることを特徴とする電源回路遮断装置。
【請求項３】
請求項１又は請求項２記載の電源回路遮断装置であって、
前記レバーの第２操作位置では第２ロック部のロック解除位置への移動を阻止し、前記レバーのコネクタ嵌合操作位置では前記第２ロック部のロック解除位置への移動を許容するロック解除阻止部を有することを特徴とする電源回路遮断装置。
【請求項４】
請求項１〜請求項３のいずれかに記載の電源回路遮断装置であって、
前記レバーは、第１操作位置とコネクタ嵌合操作位置との間の回転によって前記第２コネクタハウジングと前記第１コネクタハウジング間に嵌合力及び及び離脱力を作用させ、コネクタ嵌合操作位置と第２操作位置との間の回転によって前記第２コネクタハウジングと前記第１コネクタハウジング間に嵌合力及び離脱力を作用させないよう構成されたことを特徴とする電源回路遮断装置。
【請求項５】
請求項１〜請求項４のいずれかに記載の電源回路遮断装置であって、
前記第１ロック部は、作業者が前記レバーに作用させる回転力でロック解除が可能であり、前記第２ロック部は、作業者の押圧力でロック解除が可能であることを特徴とする電源回路遮断装置。
【請求項６】
請求項１〜請求項５のいずれかに記載の電源回路遮断装置であって、
前記レバーは、一対のアームプレート部と、一対の前記アームプレート部間を回転先端側で連結する連結部及び一対の前記アームプレート部間を回転先端側で連結するレバー操作部とを備え、
前記レバーのコネクタ嵌合操作位置では、前記連結部とレバー操作部の間の下方位置に前記第２ロック部が位置され、
前記連結部には、切欠部が設けられたことを特徴とする電源回路遮断装置。
【発明の詳細な説明】
【技術分野】
【０００１】
本発明は、レバー付きのコネクタハウジング間の嵌合・離脱によって電源回路の接続・遮断を行う電源回路遮断装置に関する。
【背景技術】
【０００２】
例えば電気自動車、ハイブリッド車にあっては、電気系統のメンテナンス等での作業安全性を確保するため、電源部と負荷間の通電を遮断できる電源回路遮断装置（サービスプラグ）が搭載される。この種の従来の電源回路遮断装置として、特許文献１に開示されたものがある。
【０００３】
この電源回路遮断装置１００は、図１１〜図１３に示すように、第１コネクタハウジング１０１と、第１コネクタハウジング１０１に嵌合及び離脱する第２コネクタハウジング１１０と、第２コネクタハウジング１１０に回転及びスライド可能に設けられ、且つ、回転によって第２コネクタハウジング１１０と第１コネクタハウジング１０１間に嵌合力や離脱力を作用させるレバー１２０とを備えている。
【０００４】
第１コネクタハウジング１０１の両側面には、一対のカムピン１０２が突設されている。第１コネクタハウジング１０１には、一方のメイン端子（図示せず）と一方の信号端子（図示せず）がそれぞれ設けられている。一方のメイン端子（図示せず）は、コネクタ嵌合室内に配置されている。一方の信号端子（図示せず）は、外部フード部１０４内に配置されている。
【０００５】
第２コネクタハウジング１１０の両側面には、一対の支持軸１１１が突設されている。第２コネクタハウジング１１０には、他方のメイン端子（図示せず）が設けられている。
【０００６】
レバー１２０の両側面には、一対の支持軸受け溝１２１が形成されている。支持軸受け溝１２１は、支持軸１１１の回転を支持する回転支持部１２１ａと、これに連通し、支持軸１１１のスライド移動を支持するスライド支持部１２１ｂとから構成されている。これにより、レバー１２０は、第２コネクタハウジング１１０に回転及びスライド自在に支持されている。レバー１２０の両側面には、一対のカム溝１２２が設けられている。各カム溝１２２は、回転支持部１２１ａからの距離を徐々に変化させる曲線部１２２ａと、これに連通し、スライド支持部１２１ｂに平行に延びるストレート部１２２ｂとから構成されている。この一対のカム溝１２２に第１コネクタハウジング１０１のカムピン１０２が挿入される。レバー１２０の側面部には、他方の信号端子（図示せず）が収容されたコネクタ１０４が配置されている。他方の信号端子（図示せず）は、フード部１２４内に配置されている。
【０００７】
双方のメイン端子（図示せず）によってメイン回路スイッチ（図示せず）が構成されている。双方の信号端子（図示せず）によって信号回路スイッチ（図示せず）が構成されている。
【０００８】
上記構成において、電源回路遮断装置１００の電源導通動作を説明する。図１１に示すように、レバー１２０を第１操作位置とした第２コネクタハウジング１１０を第１コネクタハウジング１０１のコネクタ嵌合室（図示せず）に挿入すると共に、レバー１２０のカム溝１２２の入口にカムピン１０２を挿入する。双方のコネクタハウジング１０１，１１０間はコネクタ仮嵌合状態となる。
【０００９】
レバー１２０を第１操作位置から第２操作位置側に回転する。すると、カムピン１０２がカム溝１２２内を移動し、第２コネクタハウジング１１０と第１コネクタハウジング１０１間に嵌合力が作用して第２コネクタハウジング１１０が第１コネクタハウジング１０１のコネクタ嵌合室に徐々に挿入される。
【００１０】
図１２に示すように、レバー１２０をコネクタ嵌合操作位置まで回転すると、第１コネクタハウジング１０１と第２コネクタハウジング１１０間は、完全嵌合状態となる。双方のメイン端子（図示せず）間は、コネクタ嵌合操作位置までの過程で徐々に接触し、コネクタ嵌合操作位置では接触状態となる。これにより、メイン回路スイッチ（図示せず）は、コネクタ嵌合操作位置では、オン状態となる。
【００１１】
次に、レバー１２０をコネクタ嵌合操作位置より第２操作位置までスライド移動する。このスライド移動過程で、双方の信号端子（図示せず）間が徐々に接触し、図１３に示すように、レバー１２０の第２操作位置では接触状態となる。これにより、信号回路スイッチＳＷ２は、レバー１２０の操作完了位置では、オン状態である。
【００１２】
また、電源回路遮断装置１００の電源遮断動作は、レバー１２０を上記と逆操作することによって行う。つまり、第２操作位置のレバー１２０をコネクタ嵌合操作位置までスライド移動し、コネクタ嵌合操作位置から第１操作位置まで回転移動する。
【００１３】
電源回路遮断装置１００は、メイン回路スイッチ（図示せず）と信号回路スイッチＳＷ２が共にオンとなって初めて電源回路（図示せず）を導通状態とする。つまり、レバー１２０が第２操作位置である場合にのみ電源回路が導通状態となり、それ以外の操作位置では電源回路は非導通状態である。
【００１４】
これにより、作業員がレバー１２０が第２操作位置でないため、電源回路が非導通状態であるとする勘違いによる事態を防止する。
【００１５】
また、レバー１２０の第２操作位置からコネクタ嵌合操作位置までがスライド操作であり、コネクタ嵌合操作位置から第１操作位置までが回転操作である。そのため、レバー１２０の第２操作位置から第１操作位置までの操作にタイムラグ、つまり、信号回路スイッチ（図示せず）のオフからメイン回路スイッチ（図示せず）がオフになるまでにタイムラグを確保することができるため、信号回路スイッチ（図示せず）のオフ後の残留電量に起因するスパーク等の不具合が発生しない。
【先行技術文献】
【特許文献】
【００１６】
【特許文献１】特開２００３−１００３８２号公報
【発明の概要】
【発明が解決しようとする課題】
【００１７】
しかしながら、前記従来の電源回路遮断装置１００では、レバー１２０を回転のみならずスライド移動させるため、作業スペースがスライド範囲Ｓの分だけ大型化する。又、金型を含めた構造が複雑化するという問題がある。
【００１８】
そこで、本発明は、前記した課題を解決すべくなされたものであり、作業スペースの縮小化、金型を含めた構造の単純化を図り、且つ、信号回路スイッチのオフ後の残留電量に起因する不具合を防止できる電源回路遮断装置を提供することを目的とする。
【課題を解決するための手段】
【００１９】
本発明は、第１コネクタハウジングと、前記第１コネクタハウジングに嵌合及び離脱する第２コネクタハウジングと、前記第２コネクタハウジングに回転可能に設けられ、且つ、第１操作位置とコネクタ嵌合操作位置との間の回転によって前記第２コネクタハウジングと前記第１コネクタハウジング間に嵌合力及び離脱力を作用させ、コネクタ嵌合操作位置から第２操作位置まで回転するレバーと、前記第１コネクタハウジングと前記第２コネクタハウジングにそれぞれメイン端子、が設けられ、前記レバーの第１操作位置ではオフ状態で、且つ、前記レバーのコネクタ嵌合操作位置及び第２操作位置ではオン状態とされるメイン回路スイッチと、前記第１コネクタハウジングと前記レバーにそれぞれ信号端子が設けられ、前記レバーの第１操作位置及びコネクタ嵌合操作位置ではオフ状態で、且つ、前記レバーの第２操作位置ではオン状態とされる信号回路スイッチと、前記レバーを第２操作位置でロックする第１ロック部と、前記レバーをコネクタ嵌合操作位置でロックする第２ロック部と、前記レバーに設けられ、前記レバーの操作方向とは異なる操作方向の操作力によって前記第２ロック部のロック状態を解除できるロック解除操作部とを備えたことを特徴とする。
【００２０】
前記レバーの操作方向と前記ロック解除操作部の操作方向は、互いにほぼ直交する方向であることが好ましい。
【００２１】
前記レバーの第２操作位置では第２ロック部のロック解除位置への移動を阻止し、前記レバーのコネクタ嵌合操作位置では前記第２ロック部のロック解除位置への移動を許容するロック解除阻止部を有することが好ましい。
【００２２】
前記レバーは、第１操作位置とコネクタ嵌合操作位置との間の回転によって前記第２コネクタハウジングと前記第１コネクタハウジング間に嵌合力及び及び離脱力を作用させ、コネクタ嵌合操作位置と第２操作位置との間の回転によって前記第２コネクタハウジングと前記第１コネクタハウジング間に嵌合力及び離脱力を作用させないよう構成することが好ましい。
【００２３】
前記レバーは、一対のアームプレート部と、一対の前記アームプレート部間を回転先端側で連結する連結部及び一対の前記アームプレート部間を回転先端側で連結するレバー操作部とを備え、
前記レバーのコネクタ嵌合操作位置では、前記連結部とレバー操作部の間の下方位置に前記第２ロック部が位置され、
前記連結部には、切欠部を設けることが好ましい。
【発明の効果】
【００２４】
本発明によれば、レバーは、回転操作によって第１操作位置からコネクタ嵌合操作位置を経て第２操作位置まで移動するため、スライドさせない分だけ作業スペースが狭くて済むと共にスライド機構部が必要ない分だけ金型を含めて構造が単純化できる。又、レバーを第２操作位置からコネクタ嵌合操作位置に回転し、レバーのコネクタ嵌合操作位置ではロック解除操作部の操作を行って第２ロック部をロック解除位置に変位させなければレバーを第１操作位置に回転できないため、レバーの第２操作位置から第１操作位置への操作にタイムラグ、つまり、信号回路スイッチのオフからメイン回路スイッチがオフになるまでにタイムラグを確保することができるため、信号回路スイッチのオフ後の残留電量に起因するスパーク等の不具合が発生しない。
【００２５】
また、第２ロック部のロック解除もレバー側の操作で行うことができるので、作業者の操作部品をレバーに集中するため、操作性が良い。レバーの操作方向と第２ロック解除の操作方向が異なるので、作業者の明確なロック解除動作によってしかロック解除ができないため、安全性が向上する。
【図面の簡単な説明】
【００２６】
【図１】本発明の一実施形態を示し、第１コネクタハウジングと第２コネクタハウジング間が離脱状態である電源回路遮断装置の斜視図である。
【図２】本発明の一実施形態を示し、レバーが第１操作位置に位置し、第１コネクタハウジングと第２コネクタハウジング間が仮嵌合状態である電源回路遮断装置の斜視図である。
【図３】本発明の一実施形態を示し、レバーが第１操作位置に位置し、第１コネクタハウジングと第２コネクタハウジング間が仮嵌合状態である電源回路遮断装置の側面図である。
【図４】本発明の一実施形態を示し、レバーがコネクタ嵌合操作位置に位置し、第１コネクタハウジングと第２コネクタハウジング間が完全嵌合状態である電源回路遮断装置の側面図である。
【図５】本発明の一実施形態を示し、（ａ）はレバーがコネクタ嵌合操作位置に位置し、第１コネクタハウジングと第２コネクタハウジング間が完全嵌合状態である電源回路遮断装置の断面図、（ｂ）はレバーの回転操作方向と第２ロック部のロック解除方向を示す要部断面図である。
【図６】本発明の一実施形態を示し、レバーが第２操作位置に位置し、第１コネクタハウジングと第２コネクタハウジング間が完全嵌合状態である電源回路遮断装置の斜視図である。
【図７】本発明の一実施形態を示し、レバーが第２操作位置に位置し、第１コネクタハウジングと第２コネクタハウジング間が完全嵌合状態である電源回路遮断装置の側面図である。
【図８】本発明の一実施形態を示し、レバーが第２操作位置に位置し、第１コネクタハウジングと第２コネクタハウジング間が完全嵌合状態である電源回路遮断装置の断面図である。
【図９】本発明の他の実施形態を示し、レバーがコネクタ嵌合操作位置に位置し、第１コネクタハウジングと第２コネクタハウジング間が完全嵌合状態である電源回路遮断装置の斜視図である。
【図１０】本発明の他の実施形態を示し、レバーが第２操作位置に位置し、第１コネクタハウジングと第２コネクタハウジング間が完全嵌合状態である電源回路遮断装置の断面図である。
【図１１】従来例を示し、レバーが第１操作位置に位置する電源回路遮断装置の斜視図である。
【図１２】従来例を示し、レバーがコネクタ嵌合操作位置に位置する電源回路遮断装置の斜視図である。
【図１３】従来例を示し、レバーが第２操作位置に位置する電源回路遮断装置の斜視図である。
【発明を実施するための形態】
【００２７】
以下、本発明の実施形態を図面に基づいて説明する。
【００２８】
（実施形態）
図１〜図８は本発明の一実施形態を示す。図１〜図８に示すように、電源回路遮断装置１は、第１コネクタハウジング１０と、第１コネクタハウジング１０に嵌合及び離脱する第２コネクタハウジング２０と、第２コネクタハウジング２０に回転可能に設けられ、且つ、回転によって第２コネクタハウジング２０と第１コネクタハウジング１０間に嵌合力や離脱力を作用させるレバー３０とを備えている。
【００２９】
第１コネクタハウジング１０の両側面には、一対のカムピン１１が突設されている。第１コネクタハウジング１０は、上面が開放されたコネクタ嵌合室１０ａを有する。コネクタ嵌合室１０ａ内に内部端子フード部１２が二箇所設けられている。この各内部端子フード部１２内に一方側のメイン端子１３がそれぞれ配置されている。この各メイン端子１３は、雌端子である。
【００３０】
第１コネクタハウジング１０には、コネクタ嵌合室１０ａの外側に外部端子フード部１５が設けられている。この外部端子フード部１５は、上方が開口している。外部端子フード部１５内には、一方側の端子である信号端子１６が２つ配置されている。この２つの信号端子１６の詳しい構成は、下記する。
【００３１】
外部端子フード部１５の両側壁には、第１ロック部ＬＫ１の第１被係止部１７が突設されている。第１ロック部ＬＫ１は、第１被係止部１７と下記する第１係止部３７より構成され、レバー３０を第２操作位置でロックする。第１被係止部１７は、外部端子フード部１５の側壁のスリット１５ａによって撓み変形容易になっている。
【００３２】
第２コネクタハウジング２０は、内部にヒューズ２が収容されたハウジング本体２１と、このハウジング本体２１の上面に装着されたカバー２２とを備えている。ハウジング本体２１は、第１コネクタハウジング１０のコネクタ嵌合室１０ａに嵌合・離脱できる寸法・形態に形成されている。ハウジング本体２１の下部には、他方側のメイン端子２３が２つ設けられている。この各メイン端子２３は、雄端子である。各メイン端子２３は、ハウジング本体２１より下方に突出している。２つのメイン端子２３は、ヒューズ２を介して接続されている。第１コネクタハウジング１０側の２つのメイン端子１３と第２コネクタハウジング２０側の２つのメイン端子２３によって、メイン回路スイッチＳＷ１が構成されている。
【００３３】
ハウジング本体２１の両側面には、一対の回転支持軸２４が突設されている。ハウジング本体２１の両側面には、一対の係止突部２５が設けられている。各係止突部２５は、高さの低い円弧状突起である。
【００３４】
ハウジング本体２１には、第２ロック部ＬＫ２の第２被係止部２６が突設されている。第２ロック部ＬＫ２は、第２被係止部２６と下記する第２係止部４１より構成され、レバー３０をコネクタ嵌合操作位置でロックする。第２被係止部２６は、ロック解除方向に撓み変形によって変移しないようにハウジング本体２１に設けられている。
【００３５】
ハウジング本体２１には、第２被係止部２６に間隔を置いてロック解除阻止部２９が設けられている。このロック解除阻止部２９の第２被係止部２６側の前面スペースは、ロック解除阻止スペース２９ａとなっている。第２係止部４１の第２操作位置では、第２係止部４１がロック解除阻止スペース２９ａに入り込み、下記するロック解除操作部４２を作業者の指等によって押圧操作しても第２係止部４１のロック解除位置への移動が阻止される。
【００３６】
レバー３０は、一対のアームプレート部３１と、一対のアームプレート部３１間を回転先端側でそれぞれ連結する連結部３２及びレバー操作部３３とを備えている。一対のアームプレート部３１には、一対の回転受け部３４が設けられている。この一対の回転受け部３４に第２コネクタハウジング２０の一対の回転支持軸２４が軸支されている。これにより、レバー３０は、第２コネクタハウジング２０に回転自在に支持されている。一対のアームプレート部３１には、一対のカム溝３５が形成されている。この一対のカム溝３５に第１コネクタハウジング１０のカムピン１１が挿入される。
【００３７】
カム溝３５は、図４及び図７に示すように、カムピン１１の進入が可能な進入ストレート部３５ａと、この進入ストレート部３５ａに連通し、回転受け部３４の中心からの距離が徐々に変化する曲線部３５ｂと、曲線部３５ｂに連通し、回転受け部３４の中心からの距離が一定である円弧部３５ｃとを有する。
【００３８】
レバー３０は、カム溝３５内をカムピン１１が移動しつつ第１操作位置とコネクタ嵌合操作位置を経た第２操作位置との間を回転する。第１操作位置では、進入ストレート部３５ａにカムピン１１が位置する。コネクタ嵌合操作位置では、曲線部３５ｂと円弧部３５ｃの境界位置がカムピン１１が位置する。第２操作位置では、円弧部３５ｃの最奥位置にカムピン１１が位置する。
【００３９】
つまり、レバー３０の第１操作位置とコネクタ嵌合操作位置の回転過程では、カムピン１１が曲線部３５ｂを移動し、第１コネクタハウジング１０と第２コネクタハウジング２０間に嵌合力又は離脱力が作用し、第１コネクタハウジング１０と第２コネクタハウジング２０間が嵌合方向に、又は、離脱方向に移動する。レバー３０がコネクタ嵌合操作位置と第２操作位置の回転過程では、カムピン１１が円弧部３５ｃを移動し、第１コネクタハウジング１０と第２コネクタハウジング２０間に嵌合力又は離脱力が作用せず、第１コネクタハウジング１０と第２コネクタハウジング２０間が嵌合方向に、又は、離脱方向に移動することはない。
【００４０】
一対のアームプレート部３１には、２箇所に位置保持孔３６が設けられている。レバー３０は、第１操作位置と第２操作位置で位置保持孔３６のいずれか一方に係止突部２５が係止される。これにより、レバー３０は、第１操作位置と第２操作位置に位置保持力によって位置決めされる。
【００４１】
一対のアームプレート部３１の回転先端側で、且つ、下方位置には、第１ロック部ＬＫ１の一対の第１係止部３７が設けられている。一対の第１係止部３７は、作業者がレバー３０に作用させる回転力でロック解除が可能に形成されている。
【００４２】
一対のアームプレート部３１の回転先端側には、第２ロック部ＬＫ２の第２係止部４１が設けられている。第２係止部４１は、ロック解除操作部４２の下端部に一体に設けられている。ロック解除操作部４２の下端は、一対の弾性アーム４３を介して下記するフード部３９に支持されている。従って、ロック解除操作部４２をフード部３９側に押圧すると、一対の弾性アーム４３の撓み変形によって、第２係止部４１がロック解除位置によって変移する。ロック解除操作部４２の解除操作方向（Ｎ方向）は、図５（ｂ）に示すように、レバー３０の回転操作方向（Ｍ方向）とは異なる方向に設定されている。詳細には、レバー３０の回転操作方向（Ｍ方向）とロック解除操作部４２の解除操作方向（Ｎ方向）は、互いにほぼ直交する方向に設定されている。
【００４３】
前記レバー（３０）のコネクタ嵌合操作位置では、前記連結部３２とレバー操作部３３の間の下方位置に第２ロック部（ＬＫ２）が位置される。従って、作業者は、連結部３２とレバー操作部３３の間のスペースより第２ロック部ＬＫ２及びロック解除操作部４２を視認すると共に指等を挿入してロック解除操作部４２を操作する。
【００４４】
レバー操作部３３の下部には、フード部３９が設けられている。フード部３９は、下方に開口している。フード部３９内には、他方側の端子である信号端子４０が２つ配置されている。この２つの信号端子４０の詳しい構成は、下記する。第１コネクタハウジング１０側の２つの信号端子１６とレバー３０側の２つの信号端子４０によって信号回路スイッチＳＷ１が構成されている。
【００４５】
レバー操作部３３には、第２ロック部ＬＫ２の第２係止部４１が設けられている。
【００４６】
次に、電源回路遮断装置１に関わる電源回路系を簡単に説明する。電源部（図示せず）と負荷部（図示せず）の間には、メイン回路スイッチＳＷ１と、信号回路スイッチＳＷ２によってオン・オフされるリレー（図示せず）が直列接続されている。従って、メイン回路スイッチＳＷ１と信号回路スイッチＳＷ２が共にオン状態となって、電源回路はオン状態となる。それ以外のスイッチ状態では電源回路はオフ状態である。
【００４７】
上記構成において、電源回路遮断装置１による電源回路の導通動作を説明する。図１に示すように、レバー３０を第１操作位置とした第２コネクタハウジング２０を第１コネクタハウジング１０のコネクタ嵌合室１０ａに位置合わせする。そして、図２及び図３に示すように、第２コネクタハウジング２０を第１コネクタハウジング１０のコネクタ嵌合室１０ａに挿入すると共に、レバー３０のカム溝３５の進入ストレート部３５ａにカムピン１１を挿入する。双方のコネクタハウジング１０，２０間は、コネクタ仮嵌合状態となる。
【００４８】
次に、レバー３０を第１操作位置から第２操作位置側に回転する。すると、カムピン１１がカム溝３５内を移動し、第２コネクタハウジング２０と第１コネクタハウジング１０間に嵌合力が作用して第２コネクタハウジング２０が第１コネクタハウジング１０のコネクタ嵌合室１０ａに徐々に挿入される。
【００４９】
レバー３０をコネクタ嵌合操作位置まで回転すると、図４及び図５（ａ）に示すように、第２係止部４１が第２被係止部２６を乗り越え、第２ロック部ＬＫ２がロック位置となり、第１コネクタハウジング１０と第２コネクタハウジング２０間が完全嵌合状態となる。第１操作位置からコネクタ嵌合操作位置までの過程で、双方のメイン端子１３，２３間は接触を開始し、コネクタ嵌合操作位置では接触が完了する。レバー３０のコネクタ嵌合操作位置では、メイン回路スイッチＳＷ１はオン状態となる。
【００５０】
レバー３０をコネクタ嵌合操作位置から第２操作位置まで回転すると、図６〜図８に示すように、ロック解除操作部４２の下端部（第２係止部４１）がロック解除阻止スペース２９ａに入り込むと共に、第１係止部３７が第１被係止部１７を乗り越え、第１ロック部ＬＫ１がロック位置となる。レバー３０のコネクタ嵌合操作位置から第２操作位置までの回転過程では、双方の信号端子１６，４０間は接触を開始し、第２操作位置では接触が完了する。レバー３０の第２操作位置では、信号回路スイッチＳＷ２は、オン状態となる。つまり、電源回路は、レバー３０のコネクタ嵌合操作位置では非導通であり、レバー３０が第２操作位置になって初めて導通状態となる。
【００５１】
次に、電源回路遮断装置１による電源遮断動作を説明する。図６〜図８に示すように、レバー３０が第２操作位置に位置する状態にあって、レバー３０を第１係止部３７と第１被係止部１７間のロック力より強い回転力で第１操作位置側に回転する。すると、第１係止部３７と第１被係止部１７間のロックが外れてレバー３０の回転が許容される。これにより、図４及び図５（ａ）に示すように、レバー３０をコネクタ完全嵌合操作位置まで回転する。レバー３０をコネクタ完全嵌合操作位置まで回転すると、レバー３０の第２係止部４１が第２被係止部２６に係止され、第２ロック部ＬＫ２がロック状態となる。これで、レバー３０の回転が一旦阻止される。レバー３０の第２操作位置からコネクタ嵌合操作位置までの回転過程では、双方の信号端子１６，４０間が徐々に接触しなくなり、レバー３０のコネクタ嵌合操作位置では完全に非接触となる。従って、レバー３０のコネクタ完全嵌合操作位置では、信号回路スイッチＳＷ２は、オフ状態となる。電源回路は、レバー３０のコネクタ嵌合操作位置で非導通となる。
【００５２】
又、レバー３０の第２操作位置からコネクタ嵌合操作位置までの回転によって、レバー３０のロック解除操作部４２の下端部は、第１コネクタハウジング１０のロック解除阻止スペース２９ａから抜け出す。
【００５３】
次に、図５（ｂ）に示すように、ロック解除操作部４２を押圧操作して第２ロック部ＬＫ２の第２係止部４１をロック解除位置（図５（ｂ）の仮想線位置）とし、第２ロック部ＬＫ２のロックを解除する。これで、レバー３０の第１操作位置側への回転が許容され、第２ロック部ＬＫ２のロック解除状態を維持しつつレバー３０を第１操作位置まで回転する。レバー３０のコネクタ嵌合位置から第１操作位置への回転では、カム溝３５とカムピン１１によって、第２コネクタハウジング２０と第１コネクタハウジング１０間に離脱力が作用して第２コネクタハウジング２０が第１コネクタハウジング１０のコネクタ嵌合室１０ａから徐々に引き出される。
【００５４】
図２及び図３に示すように、レバー３０の第１操作位置では、第１コネクタハウジング１０と第２コネクタハウジング２０間は、仮嵌合状態となる。双方のメイン端子１３，２３間は、コネクタ嵌合操作位置から第１操作位置までの過程で徐々に接触しなくなり、第１操作位置では完全に非接触状態となる。従って、レバー３０の第１操作位置では、メイン回路スイッチＳＷ１はオフ状態となる。
【００５５】
以上説明したように、電源回路遮断装置１は、第１コネクタハウジング１０と、第２コネクタハウジング２０と、第２コネクタハウジング２０に回転可能に設けられたレバー３０と、第１コネクタハウジング１０と第２コネクタハウジング２０にそれぞれメイン端子１３、２３が設けられ、レバー３０の第１操作位置ではオフ状態で、且つ、レバー３０のコネクタ嵌合操作位置及び第２操作位置ではオン状態とされるメイン回路スイッチＳＷ１と、第１コネクタハウジング１０とレバー３０にそれぞれ信号端子１６、４０が設けられ、レバー３０の第１操作位置及びコネクタ嵌合操作位置ではオフ状態で、且つ、レバー３０の第２操作位置ではオン状態とされる信号回路スイッチＳＷ２と、レバー３０を第２操作位置でロックする第１ロックＬＫ１と、レバー３０をコネクタ嵌合操作位置でロックする第２ロック部ＬＫ２と、レバー３０に設けられ、レバー３０の回転操作方向とは異なる方向の操作力によって第２ロック部ＬＫ２のロック状態を解除できるロック解除操作部４２とを備えている。
【００５６】
従って、レバー３０は、回転操作によって第１操作位置からコネクタ嵌合操作位置を経て第２操作位置まで移動するため、スライドさせない分だけ作業スペースが狭くて済むと共にスライド機構部が必要ない分だけ金型を含めて構造が単純化できる。又、レバー３０を第２操作位置からコネクタ嵌合操作位置に回転し、レバー３０のコネクタ嵌合操作位置ではロック解除操作部４２の操作を行って第２ロック部ＬＫ２をロック解除位置に変位させなければレバー３０を第１操作位置に回転できないため、レバー３０の第２操作位置から第１操作位置への操作にタイムラグ、つまり、信号回路スイッチＳＷ２のオフからメイン回路スイッチＳＷ１がオフになるまでにタイムラグを確保することができるため、信号回路スイッチＳＷ２のオフ後における電源回路の残留電量に起因するスパーク等の不具合が発生しない。
【００５７】
また、第２ロック部ＬＫ２のロック解除もレバー３０側の操作で行うことができるので、作業者の操作部品がレバー３０に集中するため、操作性が良い。レバー３０の操作方向（図５（ｂ）のＭ方向）と第２ロック解除の操作方向（図５（ｂ）のＮ方向）が異なるので、作業者の明確なロック解除動作によってしかロック解除ができないため、安全性が向上する。
【００５８】
レバー３０の回転操作方向とロック解除操作部４２の解除操作方向は、互いにほぼ直交する方向（図５（ｂ）のＭ方向、Ｎ方向）である。従って、レバー３０とロック解除操作部４２を作業者が親指と他の指（人差し指や中指）間で挟むようにして双方の操作を片手で行うことができるため、更に操作性が良い。
【００５９】
電源回路遮断装置１は、レバー３０の第２操作位置では第２ロック部ＬＫ２のロック解除位置への移動を阻止し、レバー３０のコネクタ嵌合操作位置では第２ロック部ＬＫ２のロック解除位置への移動を許容するロック解除阻止部２９を有する。従って、レバー３０を第２操作位置からコネクタ嵌合操作位置に回転した後でなければ、第２係止部４１をロック解除位置に移動できないので、レバー３０のコネクタ嵌合操作位置では第２ロック部ＬＫ２の第２係止部４１をロック解除位置に移動する作業が入り、レバー３０の第２操作位置から第１操作位置への操作に確実にタイムラグ、つまり、信号回路スイッチＳＷ２のオフからメイン回路スイッチＳＷ１がオフになるまでに確実にタイムラグを確保することができるため、信号回路スイッチＳＷ２のオフ後における電源回路の残留電量に起因するスパーク等の不具合が確実に発生しないようにできる。
【００６０】
レバー３０は、第１操作位置とコネクタ嵌合操作位置との間の回転によって前記第２コネクタハウジング２０と第１コネクタハウジング１０間に嵌合力及び及び離脱力を作用させ、コネクタ嵌合操作位置と第２操作位置との間の回転によって第２コネクタハウジング２０と第１コネクタハウジング１０間に嵌合力及び及び離脱力を作用させないよう構成されている。従って、レバー３０の第２操作位置からコネクタ嵌合操作位置までの回転過程では、一対のメイン端子１３，２３間が全く移動せず、信号回路スイッチＳＷ２がオフとなるようにカム溝３５が設定されており、電源回路がオフ状態となった後のレバー３０のコネクタ嵌合操作位置から第１操作位置の回転過程で初めてメイン回路スイッチＳＷ１の一対のメイン端子１３，２３間が移動する。従って、メイン回路スイッチＳＷ１と信号回路スイッチＳＷ２が共にオン、つまり、電源回路が導通している時に、メイン回路スイッチＳＷ１のメイン端子１３，２３間が移動することによる不具合を防止できる。
【００６１】
（他の実施形態）
図９及び図１０は、本発明の他の実施形態を示す。この他の実施形態に係る電源回路遮断装置１Ａは、前記実施形態のものと比較するに、レバー３０の連結部３２に切欠部３２ａが形成されている点が相違する。切欠部３２ａは、連結部３２のレバー操作部３３側に設けられている。切欠部３２ａの位置では、連結部３２とレバー操作部３３の間の開口スペースが広くなっている。
【００６２】
他の構成は、前記第１実施形態と同様であるため、説明を省略する。図面の前記実施形態と同一構成の箇所には、同一符号を付して明確化を図る。
【００６３】
この他の実施形態でも、前記実施形態と同様の作用・効果が得られる。
【００６４】
この他の実施形態では、作業者が第２ロック部ＬＫ２及びロック解除操作部４２を視認する場合、切欠部３２ａ内を通しても見ることができるため、視認性が向上する。具体的には、前記実施形態では、図５に示す視認角度Ｖ１であるのに対し、この他の実施形態では、図１０に示す視認角度Ｖ２となり、切欠部３２ａの分だけ視認角度が大きくなる。
【符号の説明】
【００６５】
１，１Ａ  電線回路遮断装置
１０  第１コネクタハウジング
１３，２３  メイン端子
１６，４０  信号端子
２０  第２コネクタハウジング
２９  ロック解除阻止部
３０  レバー
３１  アームプレート部
３２  連結部
３２ａ  切欠部
３３  レバー操作部
４２  ロック解除操作部
ＬＫ１  第１ロック部
ＬＫ２  第２ロック部
ＳＷ１  メイン回路スイッチ
ＳＷ２  信号回路スイッチ
【図１】
0005732315.tif 000002
【図２】
0005732315.tif 000003
【図３】
0005732315.tif 000004
【図４】
0005732315.tif 000005
【図５】
0005732315.tif 000006
【図６】
0005732315.tif 000007
【図７】
0005732315.tif 000008
【図８】
0005732315.tif 000009
【図９】
0005732315.tif 000010
【図１０】
0005732315.tif 000011
【図１１】
0005732315.tif 000012
【図１２】
0005732315.tif 000013
【図１３】
0005732315.tif 000014